(57)【要約】【課題】最外周の燃料棒の出力が過度に高くならないようにする。【解決手段】沸騰水型原子炉に装荷される燃料集合体２０において、最外周に配置される燃料棒２１，２２に収納されたウランの濃縮度を、燃料集合体断面の平均値以下とする。特に、チャンネルボックス２３の内幅が１４０ｍｍ以上２００ｍｍ以下であり、燃料棒２１，２２が１２行１２列に配列された燃料集合体２０において、効果が大きい。最外周のそれぞれの辺には断面平均以下の濃縮度のウランを収納した部分長燃料棒２２が２本以上配置され、標準燃料棒２１は燃料有効部の下端から１／３以下の所定の高さまでＧｄが添加されたものを含み、最高濃縮度のウランを収納する標準燃料棒２１はＧｄが添加された２本以上の標準燃料棒２１と隣接していることが望ましい。【選択図】図１
2011017550.tif 000002
【特許請求の範囲】
【請求項１】
４角筒状のチャンネルボックス内に複数本の主たる核分裂性物質としてウランを収納した燃料棒を正方格子状に束ねて沸騰水型原子炉に装荷される燃料集合体において、最外周部に位置する前記燃料棒に収納されたウランの濃縮度はいずれも燃料集合体断面の平均値以下であることを特徴とする燃料集合体。
【請求項２】
前記チャンネルボックスの内幅が１４０ｍｍ以上２００ｍｍ以下であり、前記燃料棒は１２行１２列に配列されていることを特徴とする請求項１に記載の燃料集合体。
【請求項３】
前記燃料棒は標準長燃料棒とこの標準長燃料棒よりも短い部分長燃料棒を含み、最外周のそれぞれの辺には２本以上の前記部分長燃料棒が配置されていることを特徴とする請求項１または請求項２に記載の燃料集合体。
【請求項４】
前記部分長燃料棒に収納されたウランの濃縮度は、いずれも燃料集合体断面の平均値以下であることを特徴とする請求項３に記載の燃料集合体。
【請求項５】
前記燃料棒は、ウランが収納された燃料有効部の下端から前記燃料有効部の長さの１／３以下の所定の高さまでガドリニウムが添加され、前記燃料有効部の下端から前記所定の高さより高い部分にはガドリニウムが添加されていないものを含むことを特徴とする請求項１ないし請求項４のいずれか１項に記載の燃料集合体。
【請求項６】
最高濃縮度のウランを収納する前記燃料棒は、ガドリニウムが添加された２本以上の前記燃料棒と隣接することを特徴とする請求項１ないし請求項５のいずれか１項に記載の燃料集合体。
【請求項７】
燃料集合体平均濃縮度が５ｗｔ％を超えていることを特徴とする請求項１ないし請求項６のいずれか１項に記載の燃料集合体。
【請求項８】
角筒状のチャンネルボックス内に複数本の主たる核分裂性物質としてウランを収納した燃料棒を正方格子状に束ねた燃料集合体が装荷された沸騰水型原子炉において、前記燃料集合体の最外周部に位置する前記燃料棒に収納されたウランの濃縮度はいずれも燃料集合体断面の平均値以下であることを特徴とする沸騰水型原子炉。
【発明の詳細な説明】
【技術分野】
【０００１】
本発明は、燃料集合体および沸騰水型原子炉に関する。
【背景技術】
【０００２】
一般に、沸騰水型原子炉用燃料集合体においては、ｎ行ｎ列の正方格子状に燃料棒が束縛されており、それら燃料棒は４角筒状のチャンネルボックス内に格納している。沸騰水型原子炉用燃料集合体の大きさは、改良沸騰水型原子炉（ＡＢＷＲ）の導入で燃料格子ピッチの拡大が図られたものの、燃料集合体のサイズ、すなわちチャンネルボックスの内幅はいずれの沸騰水型原子炉でもほぼ同じである。
【０００３】
近年、改良沸騰水型原子炉に対し、資源の有効利用・発電コスト低減を目指した沸騰水型原子炉の研究開発が進められている。そのなかの一つとして、大型の燃料集合体の使用を想定した沸騰水型原子炉の概念が示されている。
【０００４】
燃料集合体を大型化する利点の一つとして、原子炉に装荷する燃料集合体の数を増やすことなく原子炉の出力増加が可能である点が挙げられる。これは、燃料集合体を大型化することにより、現行ＡＢＷＲ炉心においてバイパス水領域となっていた部分にも燃料を装荷することができ、炉心単位体積当たりの出力密度を高めることが可能となるためである。
【０００５】
また、燃料集合体を大型化する他の利点として、現行ＡＢＷＲに比べて炉心に装荷する燃料集合体の体数を減らすことができることが挙げられる。たとえば、内部仕切版により内部が４象限に分割され、サイズが従来燃料の約２倍の大型燃料集合体を供給することで、１回の燃料移動作業において、従来よりも約４倍多くの燃料棒を移動させることができる。その結果、燃料集合体の取扱いに必要な時間を短縮できる（たとえば特許文献１参照）。
【０００６】
一方で、燃料集合体を大型化すると、炉心に装荷される燃料集合体の数が減ることによって炉心設計に対する自由度が制限され、炉心半径方向ピーキング係数を低下させることが難しくなる傾向があることが予想される。また、燃料集合体を大型化すると、制御棒価値が低下する可能性がある。これは、従来のＡＢＷＲに装荷される燃料集合体ではバイパス水であった領域にも燃料棒が配置されることにより、中性子スペクトルが硬くなることに起因する。
【０００７】
これに対し、炉心に充分な炉停止余裕を確保するための手段として、たとえば、大型燃料集合体の対角線方向に対向する２つのコーナー部に直接隣接するように制御棒を配置するＫ格子型の制御棒配置の利用が挙げられる（たとえば特許文献２参照）。しかし、Ｋ格子型の制御棒配置には、十字型の制御棒ハウジングの技術開発や安全性確認など解決すべき技術上の課題がある。
【０００８】
また、特許文献３には、たとえばボイド係数の観点から、チャンネルボックス内幅が２０３ｍｍ以上２２２ｍｍ以下とし、水ロッドの面積を５５ｃｍ２以上６５ｃｍ２以下にすることでボイド係数の絶対値が小さい大型燃料集合体の提供が可能であるとされている。ただし、この文献で示されている燃料集合体はＫ格子を前提にしており、十字型制御棒ハウジングが必要である。
【０００９】
特許文献４には、現行ＡＢＷＲと同一または寸法が同等の圧力容器を有する沸騰水型原子炉において、炉心の外表面と体積を最適にできる燃料格子サイズが１５種類挙げられている。また、特許文献５には燃料格子サイズＬと燃料棒配列数ｎの関係について５種類が上げられている。
【先行技術文献】
【特許文献】
【００１０】
【特許文献１】特開平８−２５４５８９号公報
【特許文献２】特開昭６３−８２３９２号公報
【特許文献３】特許第３０７９６０９号公報
【特許文献４】特開平１０−２０６５８５号公報
【特許文献５】特開２００７−１６３３８２
【発明の概要】
【発明が解決しようとする課題】
【００１１】
原子炉の最大線出力密度などの炉心特性は、単に燃料格子サイズや燃料棒格子配列数だけで決まるものではなく、燃料集合体内の水平断面および軸方向の濃縮度分布およびガドリニウム濃度分布に大きく依存する。特に、燃料集合体が大型化すると、燃料集合体の横断面内での熱中性子束の平坦度が低下し、最外周の燃料棒の出力が過度に高くなる可能性がある。この可能性は、燃料集合体の取出燃焼度の増大を目的とした燃料集合体の平均濃縮度の増加に伴って大きくなる。
【００１２】
そこで、本発明は、沸騰水型原子炉に装荷された燃料集合体の最外周の燃料棒の出力が過度に高くならないようにすることを目的とする。
【課題を解決するための手段】
【００１３】
上述の目的を達成するため、本発明は、４角筒状のチャンネルボックス内に複数本の主たる核分裂性物質としてウランを収納した燃料棒を正方格子状に束ねて沸騰水型原子炉に装荷される燃料集合体において、最外周部に位置する前記燃料棒に収納されたウランの濃縮度はいずれも燃料集合体断面の平均値以下であることを特徴とする。
【００１４】
また、本発明は、角筒状のチャンネルボックス内に複数本の主たる核分裂性物質としてウランを収納した燃料棒を正方格子状に束ねた燃料集合体が装荷された沸騰水型原子炉において、前記燃料集合体の最外周部に位置する前記燃料棒に収納されたウランの濃縮度はいずれも燃料集合体断面の平均値以下であることを特徴とする。
【発明の効果】
【００１５】
本発明によれば、沸騰水型原子炉に装荷された燃料集合体の最外周の燃料棒の出力が過度に高くならないようにできる。
【図面の簡単な説明】
【００１６】
【図１】本発明に係る燃料集合体の第１の実施の形態における燃料棒の配置を示す図であって、（ａ）はそれぞれの位置の燃料棒の種類を示す横断面図、（ｂ）はそれぞれの種類の燃料棒のＵ−２３５濃縮度およびガドリニウムの添加の有無を示す模式的立断面図である。
【図２】本発明に係る燃料集合体の第１の実施の形態における図３のII−II矢視横断面図である。
【図３】図２のIII−III矢視立断面図である。
【図４】本発明に係る燃料集合体の第１の実施の形態における原子炉内での燃料集合体中の熱中性子束分布の例を示すグラフである。
【図５】本発明に係る燃料集合体の第２の実施の形態における燃料棒の配置を示す図であって、（ａ）はそれぞれの位置の燃料棒の種類を示す横断面図、（ｂ）はそれぞれの種類の燃料棒のＵ−２３５濃縮度およびガドリニウムの添加の有無を示す模式的立断面図である。
【発明を実施するための形態】
【００１７】
本発明に係る燃料集合体の実施の形態を、図面を参照して説明する。なお、同一または類似の構成には同一の符号を付し、重複する説明は省略する。
【００１８】
［第１の実施の形態］
図２は、本発明に係る燃料集合体の第１の実施の形態における図３のII−II矢視横断面図である。図３は、図２のIII−III矢視立断面図である。
【００１９】
燃料集合体２０は、燃料棒２１，２２、下部タイプレート２５および上部タイプレート２６を有している。下部タイプレート２５および上部タイプレート２６は、軸方向に離間して配置されている。燃料棒２１，２２は、下部タイプレート２５から上部タイプレート２６に向かって延びて、内部に主たる核分裂性物質としてウランを収納している。
【００２０】
燃料棒２１，２２は、たとえば円筒状の被覆管３１の内部にウラン酸化物のペレット３２を収納し、両端を端栓３３で封じたものである。燃料棒２１，２２には、標準燃料棒２１と、標準燃料棒２１よりも短い部分長燃料棒２２とがある。
【００２１】
複数の燃料棒２１，２２は、燃料棒２１，２２と同じ方向に延びる角筒状のチャンネルボックス２３の内側で、１２行１２列の正方格子状に配列されている。１２行１２列の正方格子の中央には、燃料棒２１，２２と同じ方向に延びたウォータチャンネル２４が配置されている。ウォータチャンネル２４は、たとえば４行４列の格子位置を占めている。
【００２２】
下部タイプレート２５と上部タイプレート２６との間には、たとえば７つのスペーサ２７が配置されている。スペーサ２７は、燃料棒２１，２２およびウォータチャンネル２４の相互の水平方向の間隔を保持している。
【００２３】
燃料棒２１，２２の外径は、約１．１ｃｍである。燃料棒２１，２２のピッチ、すなわち隣り合う燃料棒２１，２２の中心間の距離は、約１．４ｃｍである。チャンネルボックス２３の内幅は、約１７ｃｍである。燃料有効長、すなわちウランが収納された燃料有効部の下端から上端までの距離は、約３．７ｍである。燃料集合体２０の全長は、約４．５ｍである。
【００２４】
図１は、本実施の形態における燃料棒の配置を示す図であって、（ａ）はそれぞれの位置の燃料棒の種類を示す横断面図、（ｂ）はそれぞれの種類の燃料棒のＵ−２３５濃縮度およびガドリニウムの添加の有無を示す模式的立断面図である。図１において、燃料棒２１，２２に付した記号１，２，３，４，５，Ｖ１，Ｖ２，Ｇ１，Ｇ３は、それぞれ燃料棒の種類を示している。
【００２５】
図１において、記号１，２，３，４，５，Ｇ１，Ｇ３で示す燃料棒は、標準燃料棒２１である。図１において、記号Ｖ１，Ｖ２で示す燃料棒は、部分長燃料棒２２である。部分長燃料棒２２には、燃料有効部の下端から燃料有効部の長さの２／３の範囲に燃料が装填されている。燃料有効部とは、標準燃料棒２１に装填された燃料の下端から上端までの領域である。
【００２６】
記号１，２，３，４，５で示す標準燃料棒２１は、可燃性毒物であるガドリニウム（Ｇｄ）が添加されないペレット３２が装填されたウラン燃料棒である。記号１，２，３，４，５で示す標準燃料棒２１のそれぞれに装填されるペレット３２のＵ−２３５濃縮度は、ａ（ｗｔ％）、ｂ（ｗｔ％）、ｃ（ｗｔ％）、ｄ（ｗｔ％）およびｅ（ｗｔ％）である。
【００２７】
記号Ｇ１，Ｇ３で示す標準燃料棒２１は、燃料有効部の一部または全部にガドリニウムが、たとえばガドリニウム酸化物（Ｇｄ２Ｏ３）の形態で添加されたペレット３２が装填されたＧｄ入り燃料棒である。記号Ｇ１で示す標準燃料棒２１は、燃料有効部の全体にわたって、Ｕ−２３５濃縮度がａ〜ｅ（ｗｔ％）の所定の濃縮度のウランにガドリニウムが添加されたペレット３２が装填されている。記号Ｇ３で示す標準燃料棒２１は、燃料有効部の下端から燃料有効部の長さの１／３の範囲にＵ−２３５濃縮度がｂ（ｗｔ％）のウランにガドリニウムが添加されたペレット３２が装填され、燃料有効部の上端から燃料有効部の長さの２／３の範囲にＵ−２３５濃縮度がｂ（ｗｔ％）の所定の濃縮度のウランにガドリニウムが添加されたペレット３２が装填されている。
【００２８】
記号Ｖ１，Ｖ２で示す部分長燃料棒２２は、燃料有効部の下端から燃料有効部の長さの２／３の範囲にガドリニウム（Ｇｄ）が添加されない燃料ペレット３２が装填されている。記号Ｖ１，Ｖ２で示す部分長燃料棒２２のそれぞれに装填される燃料ペレット３２のＵ−２３５濃縮度は、ｃ（ｗｔ％）およびｆ（ｗｔ％）である。
【００２９】
ここで、ペレット３２のＵ−２３５濃縮度ａ，ｂ，ｃ，ｄ，ｅ，ｆと、燃料集合体平均濃縮度との関係は、ａ＞ｂ＞燃料集合体平均濃縮度＞ｃ＞ｄ＞ｅ＞ｆとする。燃料集合体平均濃縮度は、たとえば５ｗｔ％を超える値である。本実施例では、燃料有効部の全体にわたってＵ−２３５濃縮度が一定の燃料棒２１，２２を用いているため、燃料集合体全体の平均濃縮度は、それぞれの横断面での平均濃縮度とほぼ同じである。つまり、図１に示すように、燃料集合体２０の外周部には、燃料集合体２０の断面平均濃縮度よりも低い濃縮度のウランのペレット３２が装填された燃料棒２１，２２のみが配置されている。
【００３０】
チャンネルボックス２３の外側およびウォータチャンネル２４の内部には、非沸騰水領域が形成されていて、より多くの減速材が存在している。このため、燃料集合体２０中の熱中性子束は、チャンネルボックス２３およびウォータチャンネル２４に近づくにつれて大きくなる傾向がある。
【００３１】
図４は、本実施の形態における原子炉内での燃料集合体中の熱中性子束分布の例を示すグラフである。図４において、実線は図２におけるＡ−Ａ断面での、破線は図２におけるＢ−Ｂ断面での、熱中性子束の相対値をそれぞれ示す。
【００３２】
熱中性子束は、外周部から内側に向かって、すなわち、ウォータチャンネル２４に近づくにつれて小さくなり、さらにウォータチャンネル２４に近づくと再び大きくなる。これは、チャンネルボックス２３の外側およびウォータチャンネル２４の内部の水領域で減速された中性子が、燃料集合体２０の外周部およびウォータチャンネル２４の近傍には多く存在するためである。
【００３３】
特に、燃料集合体２０のコーナー部では、側面中央付近に比べてより多くの水と面するため、熱中性子束が高い。燃料集合体２０のコーナー部の熱中性子束は、チャンネルボックス２３およびウォータチャンネル２４に面せずに熱中性子束が比較的小さい外側から２層目の燃料棒位置に比べて、約２倍に達している。また、燃料集合体２０の側面中央付近の燃料棒位置と、ウォータチャンネル２４の側面中央に面する燃料棒位置では、図４の破線で示すように、ほぼ同程度の熱中性子束となっている。
【００３４】
沸騰水型原子炉では、種類が異なっても炉心中の水対ウラン比はほぼ同じである。炉心中の水対ウラン比がほぼ同じとすると、燃料棒２１，２２の外径およびピッチは、ほぼ同じとなる。また、水中での熱中性子の平均自由行程は、運転状態で約３ｃｍである。このため、沸騰水型原子炉では、燃料集合体２０のサイズや、格子の行および列の数によらず、チャンネルボックス２３の外側に面する第１層目の燃料棒では熱中性子束が高く、第２層目では第１層目に比べてかなり小さくなる。
【００３５】
燃料棒２１，２２の出力Ｐは、その燃料棒２１，２２の濃縮度Ｅｎと熱中性子束φｔｈとの積に比例し、
Ｐ  ∝  Ｅｎ  ×  φｔｈ
と表される。チャンネルボックス２３に面する最外周に存在する燃料棒２１，２２の位置では、熱中性子束φｔｈが高い。このため、最外周の燃料棒２１，２２の出力は過度に高くなるおそれがある。特に、燃料集合体平均濃縮度が５ｗｔ％を超える燃料集合体２０では、個々の燃料棒２１，２２の濃縮度を高くする必要があるため、最外周の燃料棒２１，２２の出力は、さらに高くなる傾向にある。
【００３６】
そこで、本実施の形態では、チャンネルボックス２３に面する最外周に存在する燃料棒２１，２２の濃縮度を燃料集合体２０の断面平均以下にしている。これにより、最外周の燃料棒２１，２２の出力が、過度に高くなることを抑制できる。
【００３７】
本実施の形態では、ウォータチャンネル２４は、燃料集合体２０の横断面中央に４行４列分の格子位置を占めている。また、同程度の大きさの燃料集合体では、ウォータチャンネル２４の代わりに１本または複数のウォータロッドを用いた場合でも、熱中性子束分布の平坦化のために、燃料集合体２０の横断面中央には同程度の水領域が確保される。したがって、燃料棒２１，２２を１２行１２列以上の正方格子に配置した場合、チャンネルボックス２３の外側やウォータチャンネル２４の内側の水領域から第２層目以上となる燃料棒２１，２２が２層以上存在することになる。
【００３８】
チャンネルボックス２３の外側やウォータチャンネル２４の内側の水領域から第２層目以上となる燃料棒２１，２２では、熱中性子束が比較的小さい。このため、これらの燃料棒２１，２２の濃縮度を、たとえば燃料集合体平均濃縮度以上に高めても、出力が過度に高くなることはない。つまり、チャンネルボックス２３の外側やウォータチャンネル２４の内側の水領域から第２層目以上となる燃料棒２１，２２の濃縮度を高めて、燃料集合体平均濃縮度を高めても、過度に高い出力となる燃料棒２１，２２をなくすことができる。一方、燃料集合体２０の平均濃縮度を高めると、取出燃焼度を高めることができ、経済性が向上する。
【００３９】
よって、燃料棒２１，２２を１２行１２列以上の正方格子に配置した場合には、特に、経済性を損なうことなく、過度に高い出力となる燃料棒２１，２２をなくすことができ、安全性が向上する。
【００４０】
また、水中での熱中性子の平均自由行程は、運転状態で約３ｃｍ、炉停止状態で約１．５ｃｍである。したがって、熱中性子が多い場所、たとえば最外周燃料棒の位置に水平方向の長さが３ｃｍ程度の領域を設けると、運転時には熱中性子はこの領域を飛び越えることができるが、炉停止状態ではこの領域を飛び越えることができず、この領域に吸収されてしまう。すなわち、この領域は、運転時には効かないが炉停止状態では中性子吸収体として働くことになる。
【００４１】
このような領域を燃料集合体２０の上部に設けると、燃料集合体２０としての反応度の低下を抑制しつつ、原子炉の炉停止余裕を増やすことができる。このような領域は、部分長燃料棒２２を、最外周部のそれぞれの辺に２本以上配置することによって形成される。本実施の形態では、全部で１２本の部分長燃料棒２１を最外周部に配置している。最外周部の次に熱中性子が多い場所として、ウォータチャンネル２４などの水棒に隣接する位置が挙げられる。ここに部分長燃料棒２２を配置してもよい。
【００４２】
最外周の辺の中央部に部分長燃料棒２２を配置する場合と、角に置く場合とでは好適な濃縮度が違う。部分長燃料棒２２の濃縮度は、２種類以上用意することが望ましい。本実施の形態では、２種類の濃縮度の部分長燃料棒２２を用いている。
【００４３】
沸騰水型原子炉では、炉心下端部から入った水が炉心上端部では沸騰し体積の約７０％を蒸気が占めるまでになっている。このため、水密度は、炉心下部と炉心上部では大きく異なる。その結果、軸方向の濃縮度分布を一様にすると、出力分布がボトムピークとなり炉心特性が悪化する。軸方向で濃縮度差を設けて炉心上部の濃縮度を高めて、炉心下部の濃縮度を下げることと、出力分布がボトムピークになることを抑制できる。
【００４４】
濃縮度差を設ける方法としては、燃料棒２１，２２の中で軸方向に濃縮度差を設けることが考えられる。しかし、この方法では、燃料集合体２０内の水平断面の出力分布を悪化させる可能性がある。それに対し、部分長燃料棒２２の濃縮度を燃料集合体平均以下にすれば、燃料集合体２０の水平断面の出力分布を悪化させずに軸方向に濃縮度差を設けることができる。そこで、本実施の形態では、１２本の部分長燃料棒２２を用いることによって、軸方向に濃縮度差を設けている。
【００４５】
また、本実施の形態では、燃料有効部の下端から所定の高さまでガドリニウムが添加され、それより上側にはガドリニウムが添加されていない標準長燃料棒２１を用いている。これにより、特にボトムピークになりやすい運転サイクル初期における、炉心下部の出力を抑制できる。ガドリニウムを添加する領域は、運転サイクル初期においてボイド率が０％に近い、燃料有効部の下端から燃料有効長の１／３程度までとするとよい。また、添加するガドリニウムの割合は、特にボトムピークになりやすい４ＧＷｄ／ｔ程度までの燃焼度で出力を抑制するように、Ｇｄ２Ｏ３の濃度として２ｗｔ％程度が好適である。
【００４６】
可燃性毒物であるＧｄを添加した燃料棒２１，２２は、周りの熱中性子を吸収して燃料集合体２０の反応度を制御するともに、隣接する燃料棒２１，２２の出力を抑える。本実施の形態では、最高濃縮度の燃料棒２１に少なくとも２本のＧｄ入り燃料棒２１，２２を隣接させることによって、最高濃縮度の燃料棒２１の出力を低下させている。また、これにより、最高濃縮度の燃料棒２１の燃焼期間が延びる。
【００４７】
［第２の実施の形態］
図５は、本発明に係る燃料集合体の第２の実施の形態における燃料棒の配置を示す図であって、（ａ）はそれぞれの位置の燃料棒の種類を示す横断面図、（ｂ）はそれぞれの種類の燃料棒のＵ−２３５濃縮度およびガドリニウムの添加の有無を示す模式的立断面図である。図５において、燃料棒２１，２２に付した記号１，２，３，４，５，Ｖ１，Ｖ２，Ｇ１，Ｇ３は、それぞれ燃料棒の種類を示している。
【００４８】
本実施の形態の燃料棒２１，２２は、図１に示された燃料棒と同じである。本実施の形態の燃料集合体２０は、第１の実施の形態と燃料棒２１，２２の配置が異なる。
【００４９】
本実施の形態でも、チャンネルボックス２３に面する最外周に存在する燃料棒２１，２２の濃縮度を燃料集合体の断面平均以下にしている。これにより、最外周の燃料棒２１，２２の出力が、過度に高くなることを抑制できる。
【００５０】
また、部分長燃料棒２２を、特に広い水領域に面する４つのコーナー部に配置している、すなわち、最外周部のそれぞれの辺に２本以上配置している。このため、燃料集合体２０としての反応度の低下を抑制しつつ、原子炉の炉停止余裕が増大される。
【００５１】
部分長燃料棒２２の濃縮度は、燃料集合体平均以下である。このため、燃料集合体２０の水平断面の出力分布を悪化させずに軸方向に濃縮度差を設けることができる。
【００５２】
最高濃縮度の燃料棒２１には、少なくとも２本のＧｄ入り燃料棒２１，２２を隣接させている。これにより、最高濃縮度の燃料棒２１の出力を低下させ、最高濃縮度の燃料棒２１の燃焼期間が延びる。
【００５３】
［その他の実施の形態］
なお、以上の説明は単なる例示であり、本発明は上述の各実施の形態に限定されず、様々な形態で実施することができる。また、各実施の形態の特徴を組み合わせて実施することもできる。
【符号の説明】
【００５４】
２０…燃料集合体、２１…標準燃料棒、２２…部分長燃料棒、２３…チャンネルボックス、２４…ウォータチャンネル、２５…下部タイプレート、２６…上部タイプレート、２７…スペーサ、３１…被覆管、３２…ペレット、３３…端栓
【図１】
2011017550.tif 000003
【図２】
2011017550.tif 000004
【図３】
2011017550.tif 000005
【図４】
2011017550.tif 000006
【図５】
2011017550.tif 000007